(57)【要約】【課題】従来のケーブルモデムには、ＣＡＴＶセンタから発信される告知情報を受信する機能はなく、告知情報を受信するためにはケーブルモデムとは別に告知情報受信装置を設置することが必要であった。【解決手段】ＣＡＴＶセンタの送信端局装置とＣＡＴＶネットワークを備えたＣＡＴＶシステムにおいて、ＣＡＴＶセンタに設置され告知情報を生成するセンタ告知情報生成装置と、センタの送信端局装置内に設置され前記告知情報を送出するヘッドエンドモデムと、前記ヘッドエンドモデムから送出される前記告知情報を加入者宅に伝送するＣＡＴＶネットワークと、加入者宅に設置され前記ＣＡＴＶネットワークから伝送される前記告知情報を受信するケーブルモデム端末を備えた告知情報受信機能付きケーブルモデムシステムを提供する。【選択図】　　　図１
2004064759.tif 000002
【特許請求の範囲】
【請求項１】
ＣＡＴＶセンタに設置され告知情報を生成するセンタ告知
情報生成装置と、
前記ＣＡＴＶセンタに設置され告知情報を送出するヘッドエンドモデムと、
該ヘッドエンドモデムから送出される前記告知情報を加入者宅に伝送するＣＡＴＶネットワークと、
加入者宅に設置され前記ＣＡＴＶネットワークから伝送される前記告知情報を受信するケーブルモデム端末と
を備えるＣＡＴＶシステムであって、
前記センタ告知情報生成装置は、情報入力部と、情報生成部とを備え、
前記ケーブルモデム端末は、ケーブルモデム回路と、検出回路と、告知情報伝達回路とを備え、
前記ＣＡＴＶセンタから前記加入者に対して告知情報を伝達する場合において、
前記情報入力部は、入力された告知すべき内容と、該内容を伝達すべき宛先とを告知情報として前記情報生成部に出力し、
前記情報生成部は、前記告知情報をパケットデータに変換すると共に告知情報であることを示すフラグを付加してフラグ付きパケットデータとして前記ヘッドエンドモデムに出力し、
前記ヘッドエンドモデムは、前記フラグ付きパケットデータを前記ＣＡＴＶネットワークに送出し、
前記ケーブルモデム回路は、前記ＣＡＴＶネットワークから前記フラグ付きパケットデータを受信して前記検出回路に出力し、
前記検出回路は、前記フラグ付きパケットデータの前記フラグの有無を判別し、その判別結果を前記告知情報伝達回路に出力し、
前記告知情報伝達回路は、前記判別結果にフラグが有る場合に動作し、前記加入者に対して前記告知情報の着信を通知すると共に前記告知すべき内容を伝達することを特徴とする告知情報受信機能付きケーブルモデムシステム。
【請求項２】
前記情報生成部は、
前記宛先が単一の場合はユニキャストの形式で、
前記宛先が複数の場合はマルチキャストの形式で、
前記宛先が全加入者の場合はブロードキャストの形式で
前記フラグ付きパケットデータを生成する
ことを特徴とする請求項１記載の告知情報受信機能付きケーブルモデムシステム。
【請求項３】
前記ケーブルモデム回路は、前記フラグ付きパケットデータを受信する際に前記フラグ付きパケットデータの形式を判別し、自ケーブルモデム端末宛の前記フラグ付きパケットデータのみを受信することを特徴とする請求項２に記載の告知情報受信機能付きケーブルモデムシステム。
【請求項４】
前記告知情報伝達回路は、表示によって前記告知情報の着信を通知すると共に前記告知すべき内容を伝達することを特徴とする請求項１から請求項３の何れかに記載の告知情報受信機能付きケーブルモデムシステム。
【請求項５】
前記検出回路は、入力されたパケットデータのフラグの有無を判別し、その判別結果を前記告知情報伝達回路に出力し、前記判別結果にフラグが無い場合、一般のパケットデータとして入出力ポートへ出力することを特徴とする請求項１から請求項４の何れか１項に記載の告知情報受信機能付きケーブルモデムシステム。
【請求項６】
前記ヘッドエンドモデムを備えるＣＡＴＶセンタの送信端
局装置が、さらにインターネットサーバを介してインターネットに接続されていることを特徴とする請求項１から請求項５の何れか１項に記載の告知情報受信機能付きケーブルモデムシステム。
【発明の詳細な説明】
【０００１】
【発明の属する技術分野】
本発明は告知情報受信機能付きケーブルモデムシステムに関し、特にＣＡＴＶ（ＣＡＢＬＥ　ＴＥＬＥＶＩＳＩＯＮ）で用いられるケーブルモデムにおいて、ＣＡＴＶセンタから発信される告知情報をＣＡＴＶ加入者に伝達できる告知情報受信機能付きケーブルモデムシステムに関する。
【０００２】
【従来の技術】
ＣＡＴＶは元来放送の難視聴対策システムであったが、サービス内容の追加と規模の拡大により、独自の発達を遂げつつある。例えば、ＣＡＴＶ回線は電話回線と比較して大容量のデータ伝送能力を有することから、インターネット等にＣＡＴＶ加入者が高速にアクセス可能なコンピュータオンラインサービス等が注目されている。
【０００３】
このサービスでは、加入者宅にケーブルモデムと呼ばれるＣＡＴＶ回線をネットワーク回線として利用するためのインターフェース装置が設置され、ケーブルモデムには加入者のパーソナルコンピュータ等が接続された構成となっている。
【０００４】
【発明が解決しようとする課題】
上述した従来のケーブルモデムには、ＣＡＴＶセンタから発信される告知情報を受信する機能はなく、告知情報を受信するためにはケーブルモデムとは別に告知情報受信装置を設置することが必要であった。
【０００５】
本発明の目的は、告知情報受信機能を有するケーブルモデム端末を提供し、これを利用した告知情報受信機能付きケーブルモデムシステムを提供することにある。
【０００６】
【課題を解決するための手段】
本発明の告知情報受信機能付きケーブルモデムシステムは、ＣＡＴＶセンタに設置され告知情報を生成するセンタ告知情報生成装置と、前記ＣＡＴＶセンタに設置され告知情報を送出するヘッドエンドモデムと、該ヘッドエンドモデムから送出される前記告知情報を加入者宅に伝送するＣＡＴＶネットワークと、加入者宅に設置され前記ＣＡＴＶネットワークから伝送される前記告知情報を受信するケーブルモデム端末とを備えるＣＡＴＶシステムであって、前記センタ告知情報生成装置は、情報入力部と、情報生成部とを備え、前記ケーブルモデム端末は、ケーブルモデム回路と、検出回路と、告知情報伝達回路とを備え、前記ＣＡＴＶセンタから前記加入者に対して告知情報を伝達する場合において、前記情報入力部は、入力された告知すべき内容と、該内容を伝達すべき宛先とを告知情報として前記情報生成部に出力し、前記情報生成部は、前記告知情報をパケットデータに変換すると共に告知情報であることを示すフラグを付加してフラグ付きパケットデータとして前記ヘッドエンドモデムに出力し、前記ヘッドエンドモデムは、前記フラグ付きパケットデータを前記ＣＡＴＶネットワークに送出し、前記ケーブルモデム回路は、前記ＣＡＴＶネットワークから前記フラグ付きパケットデータを受信して前記検出回路に出力し、前記検出回路は、前記フラグ付きパケットデータの前記フラグの有無を判別し、その判別結果を前記告知情報伝達回路に出力し、前記告知情報伝達回路は、前記判別結果にフラグが有る場合に動作し、前記加入者に対して前記告知情報の着信を通知すると共に前記告知すべき内容を伝達することを特徴とする。
【０００７】
また、前記情報生成部は、前記宛先が単一の場合はユニキャストの形式で、前記宛先が複数の場合はマルチキャストの形式で、前記宛先が全加入者の場合はブロードキャストの形式で前記フラグ付きパケットデータを生成することを特徴とする。
【０００８】
さらに、前記ケーブルモデム回路は、前記フラグ付きパケットデータを受信する際に前記フラグ付きパケットデータの形式を判別し、自ケーブルモデム端末宛の前記フラグ付きパケットデータのみを受信することを特徴とする。
【０００９】
また、前記告知情報伝達回路は、表示によって前記告知情報の着信を通知すると共に前記告知すべき内容を伝達することを特徴とする。
【００１０】
さらに、前記検出回路は、入力されたパケットデータのフラグの有無を判別し、その判別結果を前記告知情報伝達回路に出力し、前記判別結果にフラグが無い場合、一般のパケットデータとして入出力ポートへ出力することを特徴とする。
【００１１】
また、前記ヘッドエンドモデムを備えるＣＡＴＶセンタの送信端局装置が、さらにインターネットサーバを介してインターネットに接続されていることを特徴とする。
【００１２】
【発明の実施の形態】
次に、本発明の実施の形態について図面を参照して説明する。
【００１３】
図１は、本発明の告知情報受信機能付きケーブルモデムシステムの一つの実施の形態を示すブロック図である。
【００１４】
図１に示す本実施の形態は、ＣＡＴＶセンタに設置され告知情報を生成するセンタ告知情報生成装置１と、センタの送信端局装置内に設置されるヘッドエンドモデム４と、センタと加入者宅を接続するＣＡＴＶネットワーク５と、加入者宅に設置されるケーブルモデム端末６から構成されている。
【００１５】
ＣＡＴＶセンタにおいて、加入者に対するお知らせ等、センタの発信者から必要時に一方的に伝達したい告知情報が発生した場合には、センタ告知情報生成装置１の情報入力部２により、伝達したい告知情報の内容及び宛先を入力する。入力された告知情報は、情報生成部３によりＣＡＴＶネットワーク５に伝送するためのパケットデータに変換される。この時、生成されるパケットデータの形式は、宛先が単一の場合はユニキャストの形式で、宛先が複数の場合はマルチキャストの形式で、宛先が全加入者の場合はブロードキャストの形式で生成される。さらに、このパケットデータには、告知情報であることを示すフラグが付加される。
【００１６】
このパケットデータは、ヘッドエンドモデム４を介してＣＡＴＶネットワーク５に伝送される。
【００１７】
加入者宅内のケーブルモデム端末６は、ケーブルモデム回路９においてパケットデータを受信する。パケットデータを受信する際には、先ずパケットデータの形式がユニキャストであるかマルチキャストであるかブロードキャストであるかを判別し、自己のケーブルモデム端末宛のパケットデータのみを受信する。次いで、伝送されたパケットデータが告知情報であるか否かを検出回路７で判別し、告知情報であった場合は告知情報伝達回路８を動作させ、告知情報の表示等によって加入者に伝達する。告知情報でない一般のパケットデータはケーブルモデム回路９を介して入出力ポート１０に出力され、入出力ポート１０に接続された図示しないパーソナルコンピュータやテレビジョン等の機器に出力される。
【００１８】
次に、図１および図２を参照して本実施の形態の動作をより詳細に説明する。
【００１９】
図２は、本実施の形態の動作を説明するフローチャートである。
【００２０】
図２において、センタ告知情報生成装置１の情報入力部２から、加入者に伝達したい告知情報とその宛先が入力される（Ｓ１）。次に、情報生成部３は、告知情報の宛先を参照し、宛先が単一であればユニキャスト、宛先が複数であればマルチキャスト、宛先が全加入者の場合すなわち一斉同報であればブロードキャストの形式でパケットデータを生成する（Ｓ２）。さらに、このパケットデータに告知情報であることを示すフラグを付加し（Ｓ３）、最終的なパケットデータとして出力する（Ｓ４）。
【００２１】
このパケットデータは、ヘッドエンドモデム４によりＣＡＴＶネットワーク５を介して、加入者宅のケーブルモデム端末６に伝送されて受信され（Ｓ５）、ケーブルモデム端末６の検出回路７にてフラグが判別される（Ｓ６）。
【００２２】
フラグを判別した結果、告知情報でなかった場合は、一般のパケットデータと判断して入出力ポート１０へ出力する（Ｓ７）。
【００２３】
フラグを判別した結果、告知情報であった場合は、告知情報伝達回路８へこのパケットデータを供給するために告知情報伝達回路８を駆動し（Ｓ８）、表示等によって加入者へ告知情報の着信を伝えると共に告知情報を伝達する（Ｓ９）。
【００２４】
次に、図３を参照して、本発明の第２の実施の形態について説明する。
【００２５】
図３は、本発明の告知情報受信機能付きケーブルモデムシステムの第２の実施の形態を示すブロック図である。
【００２６】
図３において、図１に示す構成要素に対応するものは同一の参照数字または符号を付し、その説明を省略する。
【００２７】
図３は、本発明の告知情報受信機能付きケーブルモデムシステムを、ＣＡＴＶセンタの送信端局装置であるヘッドエンド１１およびインターネットサーバ２０を介して、インターネット２１に接続したものである。
【００２８】
このような構成をとることにより、ＣＡＴＶ加入者はケーブルモデム端末６の入出力ポート１０に接続されたパーソナルコンピュータ等を利用してインターネットにアクセスすることが可能になると共に、ＣＡＴＶセンタからはインターネットに関する告知情報を容易に加入者に伝達できるようになる。
【００２９】
【発明の効果】
以上説明したように、本発明の告知情報受信機能付きケーブルモデムシステムは、ケーブルモデム端末に告知情報の受信機能及び伝達機能を持たせているため、ケーブルモデムと別に告知情報受信装置を設置する必要がなく、ケーブルモデム端末だけで告知情報を加入者に提供することが可能となるという効果を有している。
【００３０】
また、パケットデータにフラグを付加することにより当該パケットデータが告知情報であることを識別させているため、他の一般のパケットデータとの混在が容易に実現でき、加入者に対して告知情報を一般の情報と区別して伝達することが可能となるという効果を有している。
【００３１】
さらに、告知情報の宛先が単一か複数か一斉同報かの別に応じてパケットデータの形式を変えているため、ケーブルモデム端末側での受信判別が容易に行えるという効果を有している。
【図面の簡単な説明】
【図１】本発明の告知情報受信機能付きケーブルモデムシステムの一つの実施の形態を示すブロック図である。
【図２】本実施の形態の動作を説明するフローチャートである。
【図３】本発明の告知情報受信機能付きケーブルモデムシステムの第２の実施の形態を示すブロック図である。
【符号の説明】
１　　センタ告知情報生成装置
２　　情報入力部
３　　情報生成部
４　　ヘッドエンドモデム
５　　ＣＡＴＶネットワーク
６　　ケーブルモデム端末
７　　検出回路
８　　告知情報伝達回路
９　　ケーブルモデム回路
１０　　入出力ポート
１１　　ヘッドエンド
２０　　インターネットサーバ
２１　　インターネット
【図１】
2004064759.tif 000003
【図２】
2004064759.tif 000004
【図３】
2004064759.tif 000005